(57)【要約】【課題】比較的小さな商品や室内装飾品等の小物を、店舗や室内の壁面等の固定対象面に固定する小物固定具に於いて、両面テープの粘着力が発揮されにくい固定対象面でも確実に固定できると共に、固定作業が簡単に行えるようにする。【解決手段】ベース板(10)の表面に針が植設されたピン部材(1)と、前記ベース板(10)の裏面を前記小物(6)の表面に当接状態に固定する粘着体(2)とを具備すること。【選択図】図１
0003125872.tif 000002
【実用新案登録請求の範囲】
【請求項１】
ベース板の表面に針が植設されたピン部材と、
前記ベース板の裏面を固定対象物たる小物の表面に当接状態に固定する粘着体を具備する、小物固定具。
【請求項２】
請求項１に記載の小物固定具に於いて、
前記粘着体は、前記ベース板より広い面積を有する粘着テープであり、
前記針で前記粘着テープを突き刺すことにより、前記ベース板の前記表面を前記粘着テープの粘着面側で被覆した構成とし、
前記被覆した状態では、前記粘着テープの外周部が前記ベース板の外周部から食み出す、小物固定具。
【請求項３】
請求項１に記載の小物固定具に於いて、
前記粘着体は、前記ベース板の前記裏面に積層された粘着剤層であり、該粘着剤層の表面は剥離可能な剥離紙で被覆されている、小物固定具。
【請求項４】
請求項１から請求項３の何れかに記載の小物固定具に於いて、
前記針は、前記ベース板に複数植設されている、小物固定具。
【請求項５】
第１ベース板の表面に第１針が植設された第１ピン部材と、
第２ベース板の表面に第２針が植設された第２ピン部材と、
前記第１ベース板と第２ベース板の裏面を相互に当接状態に固定する粘着層が設けられた、小物固定具。
【考案の詳細な説明】
【技術分野】
【０００１】
本考案は、小物固定具に関するもので、折り畳んだネクタイやハンカチ等を包装箱で個別包装した包装済商品、比較的小さな室内装飾品、その他、種々の小物を、室内や店舗の壁面等に固定して室内装飾や商品ディスプレーをする場合に利用できる。
【背景技術】
【０００２】
商品ディスプレー等の為に包装済商品等の小物を店舗等の壁面に固定する場合、従来は、例えば両面テープを用いて前記小物を壁面に固定する手法や、又、壁面に固定した吊り下げ用のフックに前記小物を紐等で吊り下げる手法が採用されていた。
【考案の開示】
【考案が解決しようとする課題】
【０００３】
しかしながら、両面テープを用いる場合は、壁面等の固定対象面に埃等の汚れが付着していたり、又、固定対象面が微小な凹凸面である場合には、両面テープの粘着力が十分に発揮されない。
一方、前記吊り下げ用のフックを利用する場合は、特別な構造のフックが必要なだけでなく、更に、該フックに固定対象物たる物品を紐等で締結・固定する作業が煩雑である。
【０００４】
本考案は、係る点に鑑みて成されたもので、比較的小さな商品や室内装飾品等の小物を、店舗や室内の壁面等の固定対象面に固定する小物固定具に於いて、両面テープの粘着力が発揮されにくい固定対象面でも確実に固定できると共に、固定作業が簡単に行えるようにすることを課題とする。
【課題を解決するための手段】
【０００５】
［請求項１に係る考案］
上記課題を解決する為の請求項１に係る考案の解決手段は、
『ベース板の表面に針が植設されたピン部材と、
前記ベース板の裏面を固定対象物たる小物の表面に当接状態に固定する粘着体を具備する』ことである。
このものでは、ピン部材を構成するベース板を小物の表面に当接させ、この当接状態にあるピン部材のベース板と小物表面を粘着体で固定する。
すると、この固定状態では、ベース板の表面に植設された針が、小物側から突出した状態になる。
【０００６】
そこで、小物側から突出した前記針を固定対象面に強制的に突き刺し、これにより、固定対象物たる小物を壁面に固定する。
このものでは、固定対象物たる小物に粘着体で固定されたピン部材の針を固定対象面に強制的に突き刺すことにより、小物を固定する。従って、固定対象面が埃等で汚れて両面テープの粘着力が発揮され難い場合でも確実に固定できる。又、既述従来例で説明したようにフックに小物を紐等で締結・固定する場合に比べ、固定作業が簡単に行える。
【０００７】
［請求項２に係る考案］
請求項１に係る考案に於いて、
『前記粘着体は、前記ベース板より広い面積を有する粘着テープであり、
前記針で前記粘着テープを突き刺すことにより、前記ベース板の前記表面を前記粘着テープの粘着面側で被覆した構成とし、
前記被覆状態では、前記粘着テープの外周部が前記ベース板の外周部から食み出す』ものとすることができる。
このものでは、ピン部材が小物表面に粘着テープで固定される。そして、小物に固定されたピン部材を固定対象面に突き刺すと、小物が固定対象面に固定される。
【０００８】
［請求項３に係る考案］
請求項１に係る考案に於いて、
『前記粘着体は、前記ベース板の前記裏面に積層された粘着剤層であり、該粘着剤層の表面は剥離可能な剥離紙で被覆されている』ものでは、剥離紙を剥離して粘着剤層を露出させ、この粘着剤層で小物表面にピン部材を粘着固定することができる。
【０００９】
［請求項４に係る考案］
請求項１〜請求項３に係る考案に於いて、
『前記針は、前記ベース板に複数植設されている』ものでは、ベース板に一本の針が植設されているものに比べて針の数が多い分、固定対象面への固定力が大きくなる。
【００１０】
［請求項５に係る構造］
上記課題を解決する為の請求項５に係る考案の解決手段は、
『第１ベース板の表面に第１針が植設された第１ピン部材と、
第２ベース板の表面に第２針が植設された第２ピン部材と、
前記第１ベース板と第２ベース板の裏面を相互に当接状態に固定する粘着層が設けられた』ものでは、小物固定具の両面に第１針と第２針が各別に突出した構造になる。
従って、第１ピン部材に設けられた第１針と第２ピン部材に設けられた第２針を、夫々、固定対象物たる小物と固定対象面たる壁面等に強制的に突き刺すことにより、小物を固定対象面に固定できる。
【考案の効果】
【００１１】
本考案は次の特有の効果を有する。
請求項１に係る考案によれば、既述したように、固定対象面が埃等で汚れて両面テープの粘着力が発揮され難い場合でも、前記固定体正面に小物を確実に固定できる。又、既述したように吊り下げ用のフックに小物を紐等で締結・固定する場合に比べ、固定作業が簡単に行える。
【００１２】
請求項２に係る考案によれば、ピン部材と粘着テープの組み合わせにより、小物固定具が構成できるから、市販の押しピンと粘着テープを利用することにより、容易に小物固定具を制作することができる。
【００１３】
請求項３に係る考案では、粘着剤層の表面から剥離紙を剥離するだけで、小物固定具を小物表面に貼着固定でき、小物固定具の使い勝手が良好になる。
請求項４に係る考案では、既述したように、ベース板に一本の針が植設されているものに比べて針の数が多いから、固定対象面への固定力が大きくなる。
【００１４】
請求項５に係る考案では、固定対象物たる小物及び固定対象面の両面が共に、粘着テープが付着しない面であっても、小物を固定対象面に固定することができる。
【考案を実施するための最良の形態】
【００１５】
以下に、本考案を実施するための最良の形態について添付図面を参照しながら説明する。
図１に示すように、本実施の形態に係る小物固定具(A)は、ピン部材(1)と粘着テープ(2)の組み合わせによって構成されている。
【００１６】
ピン部材(1)は、裏面(10a)が平滑なベース板(10)と、これの表面に植設された３本の針(11)(11)から構成されており、ベース板(10)は金属又は合成樹脂で形成されている。一方、針(11)(11)は本実施の形態では金属線で構成されているが、該針(11)(11)を硬質合成樹脂で構成してもよい。
【００１７】
粘着テープ(2)は、図２に示すように、柔軟な基材シート(21)とこれの片面に積層された粘着剤層(20)から構成されており、ピン部材(1)のベース板(10)より一回り広い面積を有している。
【００１８】
図１，２に示すように、本実施の形態に係る小物固定具(A)は、固定対象物たる小物(6)を、店舗や室内の固定対象面たる壁面(4)に固定する場合に使用される。本実施の形態では、折り畳んだネクタイやハンカチ等の被包装物(5)を透明包装箱(3)で個別包装したものを、小物(6)として例示している。
【００１９】
小物(6)を壁面(4)に固定するときは、ピン部材(1)を構成するベース板(10)の裏面(10a)を小物(6)に当接させ、針(11)(11)で粘着テープ(2)を突き刺すことにより、粘着テープ(2)の粘着面側でベース板(10)を被覆する。すると、粘着テープ(2)の外周がピン部材(1)のベース板(10)の外周部から食み出した状態になり、この食み出し部が、小物(6)の表面に貼着する。
これにより、ピン部材(1)が粘着テープ(2)で小物(6)に添設固定され、ベース板(10)に植設された針(11)が、小物(6)側から突出した状態になる。
【００２０】
次に、小物(6)側から突出した前記針(11)(11)を壁面(4)に強制的に突き刺し、これにより、図２に示すように、固定対象物たる小物(6)を壁面(4)に固定する。
このものでは、小物(6)に粘着テープ(2)（粘着体）で固定されたピン部材(1)の針(11)を、固定対象面たる壁面(4)に強制的に突き刺すことにより、小物(6)を前記壁面(4)に固定できるから、壁面(4)が埃で汚れて両面テープの粘着力が発揮され難い場合でも確実に固定できる。又、既述従来例で説明したフックに小物(6)を紐等で締結・固定する場合に比べ、固定作業が簡単に行える。
【００２１】
図示例のものでは、３本の針(11)(11)をベース板(10)に植設しているが、針(11)は１本でもよく、該ピン部材(1)の配設数は特に限定されない。
図３は、１本の針(11)を具備するピン部材(1)を利用して、固定対象物たる室内装飾板(7)（小物）を壁面(4)に固定する場合を示したもので、ピン部材(1)と粘着テープ(2)から成る本考案の小物固定具(A)を、３個利用する使用態様を示した例である。このものでも、図１，２の場合と同様に、室内装飾板(7)を壁面(4)に固定できる。
【００２２】
図３のように、一本の針(11)を具備するピン部材(1)を利用する場合は、該ピン部材(1)として市販されている押しピンを利用することが出来、これと、市販の粘着テープ(2)を組み合わせることにより、小物固定具(A)を容易に制作することができる。
【００２３】
図４は、本考案の第２実施形態の説明図である。
このものは、針(11)を植設したベース板(10)の裏面(10a)に粘着剤を塗布して粘着剤層(8)を積層形成したものであり、粘着剤層(8)の表面には剥離紙(9)が積層されている。
このものでは、剥離紙(9)を剥離して露出させた粘着剤層(8)を利用して、ピン部材(1)を小物(6)の表面に貼着し、この状態で、第１実施形態の場合と同様に、小物(6)を壁面(4)に固定する。
【００２４】
図５は、図４に示す構成のピン部材(1)から剥離紙(9)を剥離したものを、２個利用し、該２個のピン部材(1)(1)を裏向きに重ね合わせ状態に結合一体化した図であり、結合一体化したものから表裏に突出する針(11)(11)を、夫々、壁面(4)と小物(6)に突き刺すことにより、これらを互いに固定する。
【００２５】
このものでは、図５に表れる一方のピン部材(1)が請求項５の考案特定事項たる「第１ピン部材」に対応し、他方のピン部材(1)が請求項５の考案特定事項たる「第２ピン部材」に対応する。従って、一方のピン部材(1)のベース板(10)及び針(11)が、夫々、請求項５の考案特定事項たる「第１ベース板」及び「第１針」に対応し、他方のピン部材(1)のベース板(10)及び針(11)が、夫々、請求項５の考案特定事項たる「第２ベース板」及び「第２針」に対応する。
このものでは、固定対象物たる小物(6)及び固定対象面たる壁面(4)の両面が、共に、粘着テープが付着しない面であっても、小物(6)を壁面(4)に固定できる。
【図面の簡単な説明】
【００２６】
【図１】本考案の第１実施形態を説明する斜視図
【図２】本考案の第１実施形態を説明する断面図
【図３】本考案の第１実施形態の他の変形例の使用例を示す斜視図
【図４】本考案の第２実施形態を説明する斜視図
【図５】本考案の第２実施形態の他の使用例を示す斜視図
【符号の説明】
【００２７】
(1)・・・ピン部材
(2)・・・粘着テープ
(6)・・・小物
(8)・・・粘着剤層
(9)・・・剥離紙
(10)・・・ベース板
(11)・・・針
【図１】
0003125872.tif 000003
【図２】
0003125872.tif 000004
【図３】
0003125872.tif 000005
【図４】
0003125872.tif 000006
【図５】
0003125872.tif 000007